(57)【要約】【課題】スパイラル杭は，土木資材，建築装飾用資材など多様な用途に活用されているが，顧客自らがその杭材用途を判断し適切に活用するための模擬的シミュレーションがこれまでになかった。また，買取りを含めた短期的な仮設資材として活用する際に，リース材管理の仕組みがなく，製品在庫情報を顧客自ら確認することができない状況であった。【解決手段】スパイラル杭が有する地盤拘束効果の特徴を生かし，軟弱地盤における基礎構造物設置などに有効活用するための情報提供方法として，通信ネットワークを介したインターネットシミュレーションを構築する。図４に示すように，支持力計算シミュレーション（支持力計算モデル），過去実績表示シミュレーション（過去実績表示モデル），リース管理シミュレーション（リース管理モデル）から成立つ。【選択図】図４
2006309540.tif 000002
【特許請求の範囲】
【請求項１】
スパイラル杭の支持力について通信ネットワークを介して計算し，地盤支持力，杭耐力等を算定する支持力計算シミュレーション（支持力計算モデル）を提供する方法。
【請求項２】
スパイラル杭の有する多用途な活用方法に関する実績技術情報について通信ネットワークを介して提供する過去実績表示シミュレーション（過去実績表示モデル）を管理し，実施する方法。
【請求項３】
スパイラル杭のリース，レンタル，割賦販売等の契約において，契約者（＝顧客）が契約物件に関して，端末から通信ネットワークを介して迅速かつ容易にリース会社サーバから情報入手できるリース管理シミュレーション（リース管理モデル）の管理及び実施する方法。
【請求項４】
上記の支持力計算シミュレーション，過去実績表示シミュレーション，リース管理シミュレーションについて通信ネットワークを介して連携稼働させる一連のインターネットシミュレーションの管理及び方法。
【発明の詳細な説明】
【技術分野】
【０００１】
この発明は，スパイラル杭の支持力計算シミュレーション（支持力計算モデル），過去実績表示シミュレーション（過去実績表示モデル），リース管理シミュレーション（リース管理モデル）について通信ネットワークを介して連携稼働させる一連のインターネットシミュレーションの管理及び方法に関するものである。
【背景技術】
【０００２】
スパイラル杭の購買に際しては，顧客が製造工場に直接注文を受ける仕組みが従来用いられてきた。また，リース会社を介したリース材の発注システムを構築しようとすれば，図２に示すように，文書の郵送やファクシミリ等を活用した方式で時間のかかるものであった。これに対しては，顧客の個別のニーズを満足するためにどのような規格のスパイラル杭を適用すべきかについて，杭の力学的性質と設置場所の条件のマッチングなどに個別対応が必要であり多くの時間を要するものであった。また，顧客自らが判断し注文するための模擬的なシミュレーションがない状況であった。土木建築用資材としてのスパイラル杭は，図３に示すように，角パイプ及び平鋼をねじることでその製造方法の技術開発と新規用途開拓がなされてきた。他にも有効な使い方があるのにスパイラル杭が有する地盤拘束効果という特徴を生かすための技術情報を顧客側が得にくいなどの不具合があった。さらに，短期的な仮設資材として活用したい場合，買取りを原則としてきた従来の購買方式に対して，リースシステム，リース材管理等の仕組みがなく，また製品在庫管理がしにくいなどの不具合があった。本インターネットシミュレーションは，上記のような課題を解決するために，図１に示すシステムとして構築したものである。
【特許文献１】特許３０２３５８３号
【発明の開示】
【発明が解決しようとする課題】
【０００３】
しかしながら，従来の技術によれば，スパイラル杭の顧客，製造メーカ，リース会社のそれぞれにとって不十分なものであった。すなわち，仕様規格に関する技術情報・技術的サポートを顧客として得にくいこと，類似用途に対する製造メーカ自らによる個別説明の実施のため，説明対応労力の負担が大きい等のデメリットが存在していた。また，顧客自らが設置場所の条件に応じて，必要な規格のスパイラル杭の適用可能性を模擬的に判断することができなかった。
そこで，この発明は，スパイラル杭の多用なニーズとシーズを一元管理されたサーバシステムを援用・運用することにより，総括的に管理するリース管理シミュレーションを提供し，併せて顧客自らが模擬的にスパイラル杭の適用可能性について，過去の適用実績等から判断をなすことを課題とする。
【課題を解決するための手段】
【０００４】
以上の課題を解決するために，第一発明は，スパイラル杭の支持力について通信ネットワークを介して計算し，地盤支持力，杭耐力等を算定する支持力計算シミュレーション（支持力計算モデル）の構築である。
第二発明は，スパイラル杭の有する多用途な活用方法に関する実績技術情報について通信ネットワークを介して提供する過去実績表示シミュレーション（過去実績表示モデル）の管理，実施方法の構築である。
また，第三発明は，スパイラル杭のリース，レンタル，割賦販売等の契約において，契約者（＝顧客）が契約物件に関して，端末から通信ネットワークを介して迅速かつ容易にリース会社サーバから情報入手できるリース管理シミュレーション（リース管理モデル）の管理，実施方法の構築である。
さらに，第四発明は，スパイラル杭の支持力計算シミュレーション，過去実績表示シミュレーション，リース管理シミュレーションについて通信ネットワークを介して連携稼働させる一連のインターネットシミュレーションの管理及び方法の構築である。
【発明の効果】
【０００５】
第一発明，第二発明，第三発明および第四発明によれば，どこで，いくらで，安いリース材は何か，タイムリーに入るのか，適用予定のスパイラル杭の規格は正しいのか，スパイラル杭のリース契約の一元管理ができるのか，などの要求を満足する。
【発明を実施するための最良の形態】
【０００６】
この発明の一実施形態を，図１に示す。
リース管理モデルを含む一連のインターネットシミュレーションは，６の通信ネットワークを介してリース契約，保守契約，売買契約，技術支援等が可能となるデータの一元管理が行なわれるようになっている。また，リース会社サーバ７内のリース契約１件ごとに顧客の必要に応じて，５の端末を介して支持力計算シミュレーション等の技術的アドバイスが得られるようになっている。さらに，サーバ７内の対策工例実績データを統括する協会サーバ１０により過去実績表示シミュレーションが実施可能である。
【０００７】
通信ネットワーク６によるリース等の取引は，顧客端末１とリース会社入出力端末２のリース契約，リース会社サーバ７とサプライヤ端末３との売買契約，メンテナンス会社端末４と顧客端末１の保守契約から成り立ち，技術アドバイザ（スパイラル工法協会）端末５と顧客端末１の技術支援で構成される。
【０００８】
リース会社サーバ７は，入出力端末２，契約情報マスタファイルの存在する主記憶部９，および処理部８で構成される。入出力端末２は，顧客端末１，サプライヤ端末３，メンテナンス会社端末４，技術アドバイザ（スパイラル工法協会）端末５からの情報入力を受信する機能を有しており，処理部８で処理された情報を顧客端末１，サプライヤ端末３，メンテナンス会社端末４，技術アドバイザ（スパイラル工法協会）端末５へ出力，表示する機能を有する。主記憶部９は，契約情報マスタファイル，ユーザ台帳，スパイラル杭規格表，対策工例等のファイルから構成される。契約情報マスタファイルは，リース契約等に伴うリース物件等の契約番号，ユーザ番号，契約日，契約期間，リース品名，設置場所形態，数量，支払回数，リース規格No等を登録，管理する。ユーザ台帳は，リース契約の顧客毎にユーザ番号，ログインパスワード，電話番号，ファクシミリ番号，電子メイルアドレス，郵便番号，住所，契約担当者等を登録，管理する。スパイラル杭規格表は，リース物件の規格毎に規格No，規格仕様，全長，買取単価，リース期間別単価等を登録，管理する。対策工例は，過去実績表示シミュレーションを用いて検索が可能である。リース規格No，設置場所形態等に応じて過去の設置実績，検討事例を概要図等として検察可能なデータベース化し登録，管理する。
【０００９】
処理部８は，ＣＰＵ等から構成され，ログイン機能，メニュー表示機能，契約内容照会機能，請求書・口座振替通知書照会機能，支払い予定照会機能，見積依頼・見積済一覧表示機能，依頼・契約内容照会機能，契約内容に関する連絡・問合せ機能，技術相談に関する技術問合せ機能，利用規約表示機能等を有する。
【００１０】
図４は，リース管理シミュレーションを含むインターネットシミュレーションの全体フローを示す。
【００１１】
顧客は，ユーザＩＤとパスワードを入力してログイン（Ｓ０１）し，メニュー画面の選択（Ｓ０４）を行う。契約内容の照会や技術問合せ画面（Ｓ０８）から顧客に必要な施工実施例を過去実績表示シミュレーションとして照会検索することができる。必要であれば個別案件への対応アドバイスを得るために問合せ（Ｓ０９）を行うことができる。リース物件の契約内容に変更が生じた場合には，契約（変更）等の申込み（Ｓ１１）を行い，数量，リース期間等の変更をなすことができる。これらを申込みの実行（Ｓ１３）を行い，ログアウトする。
【００１２】
図５は，本インターネットシミュレーションのメインメニュー画面を示し，支持力算定シミュレーション，過去実績表示シミュレーション，リース管理シミュレーションを選択することができる。
【００１３】
図６は，支持力計算シミュレーションの入力処理画面を示す。スパイラル杭の設置場所の地盤条件，設計外力を入力することにより地盤の支持力が計算される。
図７は，スパイラル杭の総合スパイラル耐力の算定処理画面を示す。使用するスパイラル杭の規格諸元を入力することにより，スパイラル杭1本当りの総合スパイラル耐力が自動的に計算される。これらの一連のシミュレーションにより，使用するスパイラル杭の規格諸元を顧客自ら概算することができる。
【００１４】
図８，９，１０，１１は，過去実績表示シミュレーションの検索例の概念図である。図８は，具体例１（切土のり面対策工）である。図９は，具体例２（L型擁壁基礎）である。図１０は，具体例３（街路灯基礎）である。図１１は，具体例４（ボックスカルバート基礎）である。
【００１５】
図１２は，リース管理シミュレーションのメニュー画面を示す。この画面は，契約内容照会，請求書・口座振替通知書照会，支払い予定照会，見積依頼・見積済一覧，依頼・契約内容照会，契約内容に関する連絡・問合せ，技術相談に関する技術問合せ，利用規約等から構成される。
【００１６】
契約内容照会は，リース契約内容，リース物件の設置場所，リース契約料等に関して，顧客端末１からリース会社サーバ７への照会を可能とする。
【００１７】
請求書・口座振替通知書照会は，請求書，口座振替通知書等に関して，顧客端末１からリース会社サーバ７への照会を可能とする。
【００１８】
支払い予定照会は，支払予定表に関して，顧客端末１からリース会社サーバ７への照会を可能とする。
【００１９】
見積依頼・見積済一覧は，リース物件に対する見積依頼に対応し，見積済みリース物件に関する一覧表を表示する。また，新規契約の申込みの受付窓口ともなる。
【００２０】
依頼・内容照会は，リース期間内の依頼，申込み内容に関して，顧客端末１からリース会社サーバ７への照会を可能とする。
【００２１】
契約内容に関する連絡・問合せは，契約内容についての各種連絡，問合せに関して，顧客端末１からリース会社サーバ７への連絡・問合せを可能とする。
【００２２】
技術に関する問合せは，顧客がリース品を適用としている内容について，例えば設置場所に必要な数量，支持力の計算等に関して，顧客端末１からリース会社サーバ７への連絡・問合せを可能とする。
【００２３】
利用規約は，通信ネットワーク利用によるリース契約の規約に関して，顧客端末１からリース会社サーバ７への照会を可能とする。
【００２４】
上述の通信ネットワーク利用によるリース契約に関する顧客管理，リース契約，売買契約，保守契約，技術方法情報提供等の管理用法は，各種の賃貸借取引にも利用できる。
【００２５】
「実施形態の効果」
この実施形態によれば，図１に示すように，顧客は，用途に応じた最適なスパイラル杭を調達することが可能となるシステムが準備されている。６の通信ネットワークを介して，顧客の利用目的を一元的に受付け，７のリース会社サーバにおける９の主記憶部において過去の活用事例との照合マッチングが８の処理部で実施される。過去の活用事例がない場合には，５の技術アドバイザ（スパイラル工法協会）へ連絡され，部材規格のタイムリーな照会がなされる。これには，スパイラル杭の設置場所例，地盤条件に応じたスパイラル杭の許容支持力の提供等も含まれる。スパイラル杭の搬入場所，数量，リース期間，形状規格などをリース会社のサーバにより一元管理するため，手持ちリース材の中から最適な部材の組合せが選択される。また，手持ちの部材が不足する場合には，製造メーカへの連絡発注が即座に３の画面上に出力されるため，顧客へ速やかに供給条件の照会結果を連絡することが可能となる。
【００２６】
「他の実施形態」
図１の実施形態では，サーバはリース会社単独で活用する形式である場合を想定しているが，複数のリース会社のサーバを連結させ，リース材の情報管理を連動させれば，手持ちリース材が不足する場合などに，他のリース会社から一時的な補給が可能となるシステムの構築も可能である。このように，単独でのシステム運用と複数のリース会社によるサーバの連携・連動を考えたシステムの運用でも良い。
【産業上の利用可能性】
【００２７】
スパイラル杭は，地盤拘束効果を有し，軟弱地盤等において支持力を確保し，人力施工を可能とする建設基礎構造物用の資材として極めて有効である。この製品を本リース契約等サービスシステムにより広く市場に提供し，適用事例等の実績情報を開示することは，日本はもとより世界の社会基盤整備の観点からも極めて有益であり，産業上の利用可能性は極めて高いものと考えられる。この観点から，本インターネットシミュレーションの構築により，顧客自らが用途に応じた最適なスパイラル杭の適用可能性を模擬的にシミュレーションし，スパイラル杭を調達することは有効と考えられる。工学的活用以外にも，スパイラル杭の形状特徴等を活かした健康増進・視覚的療法等の分野への利用が考えられる。
【図面の簡単な説明】
【００２８】
【図１】この発明の一実施形態を示すリースサービスシステムの斜視図。
【図２】従来技術を示すリース管理システムの斜視図。
【図３】スパイラル杭の斜視図。
【図４】インターネットシミュレーションの全体フローの斜視図。
【図５】メインメニュー画面を示す斜視図。
【図６】支持力計算シミュレーションの地盤条件等入力画面の斜視図。
【図７】支持力計算シミュレーションの杭耐力出力画面の斜視図。
【図８】過去実績表示シミュレーション例１（切土のり面対策工）の斜視図。
【図９】過去実績表示シミュレーション例２（L型擁壁基礎）の斜視図。
【図１０】過去実績表示シミュレーション例３（街路灯基礎）の斜視図。
【図１１】過去実績表示シミュレーション例４（ボックスカルバート基礎）の斜視図。
【図１２】リース管理シミュレーションのメニュー画面を示す斜視図。
【図１３】契約情報マスタファイルを示す斜視図。
【図１４】ユーザ台帳を示す斜視図。
【図１５】スパイラル杭規格表を示す斜視図。
【符号の説明】
【００２９】
１  顧客（ユーザ）端末
２  リース会社入出力端末
３  サプライヤ（スパイラル杭製造業者）端末
４  メンテナンス会社端末
５  技術アドバイザ（スパイラル工法協会）端末
６  インターネット
７  リース会社サーバ
８  リース会社サーバの処理部
９  リース会社サーバの主記憶部
１０  スパイラル工法協会サーバ
【図２】
2006309540.tif 000003
【図３】
2006309540.tif 000004
【図５】
2006309540.tif 000005
【図８】
2006309540.tif 000006
【図９】
2006309540.tif 000007
【図１０】
2006309540.tif 000008
【図１１】
2006309540.tif 000009
【図１２】
2006309540.tif 000010
【図１３】
2006309540.tif 000011
【図１４】
2006309540.tif 000012
【図１５】
2006309540.tif 000013
【図１】
2006309540.tif 000014
【図４】
2006309540.tif 000015
【図６】
2006309540.tif 000016
【図７】
2006309540.tif 000017